(57)【要約】  【課題】  光ピックアップをディスク収納部から退避させた位置におけるスペースを減少させ、装置を小型化する。  【解決手段】  光ピックアップ部７を平行なスクリューシャフト２とガイドシャフト３とで保持し、スクリューシャフト２とガイドシャフト３と第１連結板４と第２連結板５とで四辺形の平行リンク６を構成し、スクリューシャフト２およびターンテーブル１５を保持したシャーシ１３を、第１連結板４を支点にして駆動モータ１４により揺動させ、光ピックアップ装置１がディスク収納部１００から離れた退避位置Ｐ１では、スクリューシャフト２とガイドシャフト３との間の間隔を狭める。【選択図】  図３
2005158149.tif 000002
【特許請求の範囲】
【請求項１】
シャーシに保持されたスクリューシャフトにより直線往復駆動され、前記スクリューシャフトに略平行に配置されたガイドシャフトにより駆動案内される光ピックアップ部と、前記スクリューシャフトと前記ガイドシャフトと一端部が前記スクリューシャフトに回動可能に連結され、他端部が前記ガイドシャフトに回動可能に連結された連結手段とを含む平行リンクと、前記平行リンクを揺動させるリンク駆動手段とを備えた光ピックアップ装置。
【請求項２】
前記平行リンクは、前記スクリューシャフトと、前記ガイドシャフトと、前記スクリューシャフトの一端部および前記ガイドシャフトの一端部に回動可能に連結された第１の連結手段と、前記スクリューシャフトの他端部および前記ガイドシャフトの他端部に回動可能に連結された第２の連結手段とを含み、前記リンク駆動手段は、前記第１の連結手段の端部を支点として前記平行リンクを揺動させることを特徴とする請求項１記載の光ピックアップ装置。
【請求項３】
前記ガイドシャフトが前記スクリューシャフトに対して接離可能なことを特徴とする請求項１または請求項２記載の光ピックアップ装置。
【請求項４】
前記ガイドシャフトを前記シャーシに固定する固定手段を備えたことを特徴とする請求項１ないし請求項３のいずれかに記載の光ピックアップ装置。
【請求項５】
前記光ピックアップ部を前記シャーシに固定するロック手段を備えたことを特徴とする請求項１ないし請求項４のいずれかに記載の光ピックアップ装置。
【請求項６】
請求項１ないし請求項５のいずれかに記載の光ピックアップ装置を備えたことを特徴とする光ディスク記録再生装置。
【発明の詳細な説明】
【技術分野】
【０００１】
本発明は、ＣＤ（Compact Disc）やＤＶＤ（Digital Versatile Disc）等の光ディスクに対して記録または再生を行うための光ピックアップ装置および光ディスク記録再生装置に関するものである。
【背景技術】
【０００２】
従来の光ディスク記録再生装置としてのチェンジャ型光ディスク記録再生装置は、図５に示すように、図示の紙面に垂直な軸方向に摺動可能に配置された複数のトレイを有するディスク収納部１００を備え、それぞれのトレイに載置されたディスクを、各トレイを軸方向に駆動することにより選択して、記録再生位置に位置決めするものである。ディスク収納部１００の外側には、光ピックアップ装置１０１が、支軸１０２を中心に退避位置Ｐ１と動作位置Ｐ２とに選択的に位置決めされる。光ピックアップ装置１０１は、支軸１０２に固定されたシャーシ１０３と、シャーシ１０３に回転可能に固定されたスクリューシャフト１０４と、シャーシ１０３にスクリューシャフト１０４と平行に配置されたガイドシャフト１０５と、スクリューシャフト１０４とガイドシャフト１０５に摺動可能に設けられた光ピックアップ１０６と、ディスクを保持して回転させるターンテーブル１０７とを備えている。スクリューシャフト１０４は、図示されない送りモータにより回転される。光ピックアップ１０６は、対物レンズや光検出器などのフォトユニット１０６ａを上向きに備えている。
【０００３】
ユーザが希望するディスクトレイの番号を指示すると、ディスク収納部１００の該当するトレイが選択され、そのトレイ上のディスクが所定の記録再生位置に位置決めされる。次に、ユーザが記録再生ボタンを押すと、駆動モータ１０８により支軸１０２が回転して、光ピックアップ装置１０１が退避位置Ｐ１から動作位置Ｐ２へ移動し、トレイ上のディスクをターンテーブル１０７上に保持し、スピンドルモータにより回転させる。また、図示されない送りモータによりスクリューシャフト１０４を回転駆動することにより、光ピックアップ１０６が、ディスクの中心部から周辺部へ移動して、ディスクに記録された信号を読み取り、またはディスクに信号を記録していく。ディスクの記録再生が終了すると、光ピックアップ１０６が元の初期位置に戻り、光ピックアップ装置１０１も退避位置Ｐ１へ戻る。
【０００４】
このような光ディスク記録再生装置においても、近年の傾向として小型軽量化が求められており、上記した構成も小型軽量化が図られている。以前には、ディスク収納部に収納されたディスクを記録再生位置に移動させた後に、位置を固定された光ピックアップ装置により記録再生が行われていた。これに対し、上記のようにディスク収納部の位置を固定とし、光ピックアップ装置を移動させる構成とすることにより、装置をより小型化することができ、小型化のためのさらなる工夫が行われている（例えば、特許文献１参照）。
【特許文献１】特開２００２−１０９８１０号公報
【発明の開示】
【発明が解決しようとする課題】
【０００５】
しかしながら、従来の小型化技術においては、光ピックアップ装置をディスク収納部から退避する際、光ピックアップ装置の可動範囲の多くが退避スペースとして必要とされ、装置のより一層の小型化が制約されるという問題があった。
【０００６】
本発明は、このような従来の問題を解決するためになされたもので、光ピックアップをディスク収納部から退避する際のスペースを減少させ、装置を小型化することのできる光ディスク記録再生装置および光ピックアップ装置を提供することを目的とする。
【課題を解決するための手段】
【０００７】
本発明の光ピックアップ装置は、シャーシに保持されたスクリューシャフトにより直線往復駆動され、前記スクリューシャフトに略平行に配置されたガイドシャフトにより駆動案内される光ピックアップ部と、前記スクリューシャフトと前記ガイドシャフトと一端部が前記スクリューシャフトに回動可能に連結され、他端部が前記ガイドシャフトに回動可能に連結された連結手段とを含む平行リンクと、前記平行リンクを揺動させるリンク駆動手段とを備えた構成を有している。
【０００８】
この構成により、平行リンクを連結手段を支点としてリンク駆動手段により揺動させることで、シャーシに保持されたディスク回転手段を、ディスク収納部に配置されたディスクの記録再生を行う動作位置と、ディスク収納部から離れた退避位置とにそれぞれ位置決めすることができ、さらに、退避位置では平行リンクの幅が縮小されるので、大きな退避スペースを必要とすることがなく、装置を小型化することができる。
【０００９】
また、本発明の光ピックアップ装置は、前記平行リンクが、前記スクリューシャフトと、前記ガイドシャフトと、前記スクリューシャフトの一端部および前記ガイドシャフトの一端部に回動可能に連結された第１の連結手段と、前記スクリューシャフトの他端部および前記ガイドシャフトの他端部に回動可能に連結された第２の連結手段とを含み、前記リンク駆動手段は、前記第１の連結手段の端部を支点として前記平行リンクを揺動させる構成を有している。この構成により、平行リンクが四辺形として構成されるので、スクリューシャフトとガイドシャフトの平行を安定的に保持することができる。
【００１０】
また、本発明の光ピックアップ装置は、前記ガイドシャフトが前記スクリューシャフトに対して接離可能なことを特徴とする。この構成により、退避位置ではガイドシャフトをスクリューシャフトに近接させるように平行リンクの幅を縮小させるので、装置を小型化することができる。
【００１１】
また、本発明の光ピックアップ装置は、前記ガイドシャフトを前記シャーシに固定する固定手段を備えたことを特徴とする。この構成により、ディスク回転手段の動作位置では、ガイドシャフトをシャーシに設けられた固定手段により固定するので、平行リンクを安定的に保持することができ、光ピックアップ部を円滑に移動させることができる。
【００１２】
また、本発明の光ピックアップ装置は、前記光ピックアップ部を前記シャーシに固定するロック手段を備えたことを特徴とする。この構成により、光ピックアップ部の非動作時には、光ピックアップ部が移動できないようにシャーシに固定されるので、光ピックアップ部を安定的に保持することができ、光ピックアップ部の特性変化を防止することができる。
【００１３】
また、本発明は、上記した光ピックアップ装置を備えたことを特徴とする光ディスク記録再生装置であり、この構成により、小型の光ディスク記録再生装置を実現することができる。
【発明の効果】
【００１４】
本発明は、光ピックアップ部を支持するスクリューシャフトとガイドシャフトと連結手段とにより平行リンクを構成し、リンク駆動手段によりこの平行リンクを揺動させるようにしたので、退避位置では平行リンクの幅を縮小させることができ、退避スペースを縮小した小型の光ピックアップ装置および光ディスク記録再生装置を提供することができる。
【発明を実施するための最良の形態】
【００１５】
以下、本発明の実施の形態における光ピックアップ装置について、図面を用いて説明する。図１は本実施の形態における光ピックアップ装置の概略構成を示している。図１において、チェンジャ型の光ディスク記録再生装置２０の内部には、ディスク収納部１００が、図示の紙面に垂直な軸方向に摺動可能に配置された複数のトレイを有し、それぞれのトレイに、ユーザが再生を希望するディスクが載置されている。ディスク収納部１００の外側には、光ピックアップ装置１の回動支点が配置されている。光ピックアップ装置１は、スクリューシャフト２とガイドシャフト３と第１連結板４と第２連結板５とにより構成された四辺形の平行リンク６と、スクリューシャフト２にねじ結合して、ガイドシャフト３に案内されながらスクリューシャフト２の回転によりその軸方向に往復直線運動する光ピックアップ部７を備えている。光ピックアップ部７は、対物レンズや光検出器などのフォトユニット７ａを上向きに備えている。
【００１６】
平行リンク６の第１連結板４は、固定回動軸８、９の２点により基台１０にその位置を固定されている。第２連結板５は、遊動回動軸１１、１２によりそれぞれガイドシャフト３およびスクリューシャフト２に回動可能に接続されている。固定回動軸８は、ガイドシャフト３の一端部を回動可能に保持し、固定回動軸９は、スクリューシャフト２を保持したシャーシ１３に固定され、リンク駆動手段である駆動モータ１４の回転軸に連結されている。したがって、固定回動軸９が駆動モータ１４により回転されると、第１連結板４を支点としてシャーシ１３が揺動することになる。板金製のシャーシ１３は、支点側のガイドシャフト３側に切欠き１３ａを有する。これは、図３に示すように、光ピックアップ装置１が退避位置Ｐ１に位置する時に、シャーシ１３がディスク収納部１００のトレイの移動を妨げないようにするためである。シャーシ１３の先端部側には、ディスク回転手段であるターンテーブル１５が設けられ、その裏側には図示されないスピンドルモータが配置されている。
【００１７】
図２は光ピックアップ装置１の先端部の拡大図を示している。図２（ａ）において、シャーシ１３先端部のディスク収納部１００側の側部には、ロック手段であるロックばね１６の基端部１６ａが固定されている。板ばね製のロックばね１６は波形に形成され、中間部の凸部１６ｂが、光ピックアップ部７の側部に形成された係止穴１７に係合することにより、光ピックアップ部７をシャーシ１３に固定する。この固定位置は、光ピックアップ部７の記録再生のための始動位置よりも奥にあり、この初期位置を脱した後に記録再生のための動作を開始する。また、図２（ｂ）に示すように、光ピックアップ部７の下面には、固定手段である係止フック１８が固定され、作動位置にあるガイドシャフト３と嵌合して、ガイドシャフト３を固定するようになっている。
【００１８】
以上のように構成された光ピックアップ装置について、図１から図４を用いてその動作を説明する。図３は光ピックアップ装置１が退避位置Ｐ１に位置しており、この状態は、駆動モータ１４により平行リンク６が、第１連結板４を支点として折り畳まれた状態を示しており、光ピックアップ部７は、ロックばね１６の凸部１６ｂと係止部１７とが係合してロックされている。この状態から、駆動モータ１４によりシャーシ１３を反時計回り方向に回動させると、平行リンク６は、第１連結板４を支点として同方向に移動してガイドシャフト３とスクリューシャフト２との間隔が徐々に開いて図４のようになり、さらに回動して図１の動作位置Ｐ２に位置決めされる。この動作位置Ｐ２では、平行リンク６は、ガイドシャフト３とスクリューシャフト２とが最大幅に拡大されて、ガイドシャフト３は、図２（ｂ）に示すように係止フック１８に嵌合している。平行リンク６がこの動作位置Ｐ２に達したことをマイクロスイッチが検知して、駆動モータ１４の回転を停止させると、続いてディスク収納部１００の選択されたトレイが記録再生位置まで移動してきて、そのトレイ上のディスクがターンテーブル１５の上に載せられる。次いでターンテーブル１５がスピンドルモータにより回転するとともに、スクリューシャフト２が送りモータにより回転して、光ピックアップ部７が初期位置から脱するので、ロックばね１６と係止穴１７との係合が外れ、光ピックアップ部７がターンテーブル１５の半径方向外周側に移動して、ターンテーブル１５上のディスクに対する記録再生動作が行われる。
【００１９】
記録再生動作が終了すると、マイクロスイッチからの検知信号により送りモータが逆転して、光ピックアップ部７がターンテーブル１５の半径方向内周側に移動し、係止穴１７がロックばね１６と係合して、光ピックアップ部７が初期位置に固定される。次いでマイクロスイッチからの検知信号により駆動モータ１４が逆転して、シャーシ１３が図３の退避位置Ｐ１に向けて移動し、図３の位置でマイクロスイッチからの検知信号により停止する。
【００２０】
このように、本発明の実施の形態の光ピックアップ装置によれば、光ピックアップ部７を平行なスクリューシャフト２とガイドシャフト３とで保持し、スクリューシャフト２とガイドシャフト３と第１連結板４と第２連結板とで四辺形の平行リンク６を構成し、平行リンク６およびターンテーブル１５を保持したシャーシ１３を、第１連結板４を支点にして駆動モータ１４により揺動させ、光ピックアップ装置１がディスク収納部１００から離れた退避位置Ｐ１ではスクリューシャフト２とガイドシャフト３との間の間隔を狭めるようにしたので、光ピックアップ部７の退避位置Ｐ１では大きな退避スペースを必要とすることがなく、装置を小型化することができる。したがって、この光ピックアップ装置をチェンジャ型光ディスク記録再生装置２０に適用することにより、ディスク挿入方向の奥行寸法を短くすることができ、光ディスク記録再生装置のより一層の小型化を図ることができる。
【００２１】
なお、上記実施の形態において、ロックばね１６と係止穴１７とを用いたロック手段、および係止フック１８を用いた固定手段は、他の公知の技術を用いて種々に変更することができる。
【００２２】
また、上記実施の形態においては、スクリューシャフトとガイドシャフトと２本の連結板とにより四辺形の平行リンクを構成したが、２本の連結板の代わりに、１本の連結板とこの連結板に設けられたガイドシャフト角度規制手段とで、スクリューシャフトとガイドシャフトの平行を保持するようにしてもよい。
【産業上の利用可能性】
【００２３】
以上のように、本発明に係る光ピックアップ装置は、光ピックアップ部を支持するスクリューシャフトとガイドシャフトと連結手段とにより平行リンクを構成し、リンク駆動手段によりこの平行リンクを揺動させるようにしたので、退避位置では平行リンクの幅を縮小させることができ、退避スペースを縮小した小型の光ピックアップ装置を提供できるという効果を有し、小型化した光ディスク記録再生装置等に有用である。
【図面の簡単な説明】
【００２４】
【図１】本発明の実施の形態における光ピックアップ装置の動作位置Ｐ２における平面図
【図２】（ａ）本発明の実施の形態における光ピックアップ装置の要部拡大部分平面図  （ｂ）本発明の実施の形態における光ピックアップ装置の要部拡大部分断面図
【図３】本発明の実施の形態における光ピックアップ装置の退避位置Ｐ１における平面図
【図４】本発明の実施の形態における光ピックアップ装置の退避位置Ｐ１から動作位置Ｐ２への移動途中の平面図
【図５】従来の光ピックアップ装置の概略平面図
【符号の説明】
【００２５】
１  光ピックアップ装置
２  スクリューシャフト
３  ガイドシャフト
４  第１連結板（第１の連結手段）
５  第２連結板（第２の連結手段）
６  平行リンク
７  光ピックアップ部
８、９  固定回動軸
１０  基台
１１、１２  遊動回動軸
１３  シャーシ
１４  駆動モータ（リンク駆動手段）
１５  ターンテーブル（ディスク回転手段）
１６  ロックばね（ロック手段）
１７  係止穴（ロック手段）
１８  係止フック（固定手段）
２０  光ディスク記録再生装置
１００  ディスク収納部
【図１】
2005158149.tif 000003
【図２】
2005158149.tif 000004
【図３】
2005158149.tif 000005
【図４】
2005158149.tif 000006
【図５】
2005158149.tif 000007